(57)【要約】【課題】金属材料の外装筐体を備えるとともに無接点充電をすることができる撮影装置を提供すること。【解決手段】撮影レンズ１０２および充電電池を収納するカメラ本体２２と、カメラ本体２２に対して移動するレンズカバー２４と、充電電池を充電するための無接点受電、および、充電電池の電力を外部に供給するための無接点給電の少なくともいずれかに用いられるコイル５４を備え、カメラ本体２２およびレンズカバー２４は、金属材料を含み、コイル５４は、カメラ本体２２およびレンズカバー２４のいずれかに配設され、コイル５４の周囲には、樹脂材料が配設され、レンズカバー２４がカメラ本体２２に対して移動することにより、コイル５４の非露出状態および露出状態が切り換わる構造とした。【選択図】図３
2009302738.tif 000002
【特許請求の範囲】
【請求項１】
撮影レンズおよび充電電池を収納する本体と、
前記本体に対して移動する移動部材と、
前記充電電池を充電するための無接点受電、および、前記充電電池の電力を外部に供給するための無接点給電の少なくともいずれかに用いられるコイルと、
を備え、
前記本体および前記移動部材は、金属材料を含み、
前記コイルは、前記本体および前記移動部材のいずれかに配設され、
前記コイルの周囲には、樹脂材料が配設され、
前記移動部材が前記本体に対して移動することにより、前記コイルの非露出状態および露出状態が切り換わる構造であることを特徴とする撮影装置。
【請求項２】
前記移動部材は、前記本体に対してスライドすることにより、前記撮影レンズの非露出状態および露出状態を切り換えるレンズカバーであることを特徴とする請求項１に記載の撮影装置。
【請求項３】
撮影レンズおよび充電電池を収納する本体と、
前記本体に対してスライドすることにより、前記撮影レンズの非露出状態および露出状態を切り換えるレンズカバーと、
前記充電電池を充電するための無接点受電、および、前記充電電池の電力を外部に供給するための無接点給電の少なくともいずれかに用いられるコイルと、
を備え、
前記レンズカバーは、開口部を有し、
前記レンズカバーには、前記レンズカバーの前記開口部を開閉する窓である移動部材が形成され、
前記本体および前記レンズカバーおよび前記移動部材は、金属材料を含み、
前記コイルは、前記本体のうち、前記撮影レンズが非露出状態であって前記レンズカバーの前記開口部が閉状態であるときには前記移動部材により覆われる一方で前記撮影レンズが非露出状態であって前記レンズカバーの前記開口部が開状態であるときには露出する位置に配設され、
前記コイルの周囲には、樹脂材料が配設されていることを特徴とする撮影装置。
【請求項４】
前記本体に対してスライドする第１段目のスライド部材として、前記撮影レンズの非露出状態および露出状態を切り換えるレンズカバーを備え、
前記移動部材は、前記レンズカバーから独立して前記本体に対してスライド可能な第２段目のスライド部材であることを特徴とする請求項１に記載の撮影装置。
【請求項５】
前記レンズカバーのスライド方向において前記レンズカバーの幅は前記本体の幅よりも小さく、前記レンズカバーが前記スライド方向において前記本体よりも外側に突出しない状態のままで前記撮影レンズの非露出状態および露出状態が切り換わり、
前記コイルは、前記レンズカバーが前記スライド方向において前記本体よりも外側に突出しない状態では前記レンズカバーにより覆われる一方で、前記レンズカバーが前記スライド方向において前記本体よりも外側に突出した状態では露出される位置に配設されていることを特徴とする請求項２に記載の撮影装置。
【請求項６】
前記レンズカバーは、前記本体よりも外側に突出してスライド可能に前記本体に取り付けられており、
前記コイルは、前記レンズカバーの外装面とは反対側の裏面に配設され、前記レンズカバーが前記スライド方向において前記本体よりも外側に突出しない状態では前記本体により覆われる一方で、前記レンズカバーが前記本体よりも外側に突出した状態では露出することを特徴とする請求項２に記載の撮影装置。
【請求項７】
前記移動部材の移動により前記コイルが非露出状態から露出状態に切り換わるとき、前記コイルを前記本体内から前記本体の外部に向けて上昇させる機構を設けたことを特徴とする請求項１ないし５の何れかに記載の撮影装置。
【請求項８】
前記本体は、被写体に照射される光を発光する発光部を有し、
前記レンズカバーは、前記撮影レンズが露出状態であるときに前記発光部からの光を通す位置に窓が配設され、
前記コイルは、前記本体のうち、前記撮影レンズが非露出状態であるときに前記窓を介して露出される領域に配設されていることを特徴とする請求項２に記載の撮影装置。
【請求項９】
前記移動部材が前記本体に当接した当接状態と前記移動部材が前記本体から離間した離間状態とを切り換え可能に前記移動部材を前記本体に結合する結合構造を有し、
前記コイルは、前記移動部材および前記本体のうち何れかに配置され、前記離間状態にて前記本体と前記移動部材との間の間隙空間に露出することを特徴とする請求項１または２に記載の撮影装置。
【請求項１０】
前記受電コイルおよび前記給電コイルのうち、一方を前記移動部材に配設し、他方を前記本体に配設したことを特徴とする請求項９に記載の撮影装置。
【請求項１１】
前記移動部材の少なくとも一部を前記本体から突出させるボタンを備え、
前記コイルは、前記移動部材のうち前記本体から突出する領域に配設されていることを特徴とする請求項１に記載の撮影装置。
【請求項１２】
前記移動部材は、被写体に照射される光を発光する発光部であることを特徴とする請求項１１に記載の撮影装置。
【請求項１３】
前記移動部材は、前記本体に対して回動軸を中心に回動可能な表示板であり、
前記コイルは、前記本体のうち前記表示板が格納される部分に配設されていることを特徴とする請求項１に記載の撮影装置。
【請求項１４】
前記本体に着脱自在な収納物を収納する収納部を備え、
前記収納部は、開口部を有し、
前記移動部材は、前記収納部の前記開口部を開閉する蓋部であり、
前記コイルは、前記本体のうち、前記蓋部が閉状態のときに前記蓋部により覆われる一方で前記蓋部が開状態のときに露出する位置に形成されていることを特徴とする請求項１に記載の撮影装置。
【請求項１５】
前記収納物は、前記充電電池、または、画像を記録する記録メディアであることを特徴とする請求項１４に記載の撮影装置。
【請求項１６】
前記コイルの非露出状態および露出状態を検出する検出部と、
前記コイルが非露出状態であるときには充電を禁止する一方で、前記コイルが露出状態であるときには充電を許可する制御部と、
を備えたことを特徴とする請求項１ないし１５の何れか１項に記載の撮影装置。
【請求項１７】
前記コイルとして前記受電コイルおよび前記給電コイルの両方を備えたことを特徴とする請求項１ないし１６のうち何れか１項に記載の撮影装置。
【発明の詳細な説明】
【技術分野】
【０００１】
本発明は、金属材料の外装筐体を備えるとともに無接点充電をすることができる撮影装置に関する。
【背景技術】
【０００２】
無接点充電が可能な撮影装置が知られている。
【０００３】
特許文献１には、カメラの外装筐体と充電電池の収納室との間に受電コイルを配置した構成が開示されている。
【０００４】
特許文献２には、レンズキャップには給電コイルを設け、カメラに着脱自在に配置されるマウント型のレンズには受電コイルを設けて、レンズキャップからレンズに対して無接点で給電する構成が開示されている。
【０００５】
特許文献３には、カメラに着脱自在に配置されるマウント型のレンズには給電コイルを設け、カメラ本体には受電コイルを設けて、レンズからカメラ本体に対して無接点で給電する構成が開示されている。コイルは、カメラ本体とレンズとが結合されるマウント部に、互いに対向して配置されている。
【０００６】
特許文献４には、三脚穴を挟んで受電コネクタと受電コイルとが同一面に配置された構成が開示されている。
【０００７】
特許文献５には、レンズバリアの内部に、受電コイルを設けた構成が開示されている。
【０００８】
特許文献６には、カメラの充電電池の充電が接触方式で行われているのか非接触方式で行われているのかをディスプレイに表示する構成が開示されている。
【０００９】
特許文献７には、電池蓋の内部に、受電コイルを設けた構成が開示されている。
【００１０】
特許文献８には、カメラの防水ケ−スに受電コイルを設け、クレ−ドルで発生した磁力線を防水ケ−スが受信し、直流電流に変換してカメラの充電電池に供給する構成が開示されている。
【００１１】
また、特許文献９には、カメラ本体に電源を供給するバッテリ−が、レンズカバーに内蔵されている構成が開示されている。
【特許文献１】特開２００３−１２５５４５号公報
【特許文献２】特開平９−９０４６４号公報
【特許文献３】特開平９−９０４６３号公報
【特許文献４】特開２００３−１８９１４６号公報
【特許文献５】特開２００３−１２５２５２号公報
【特許文献６】特開２００３−１３４６９９号公報
【特許文献７】特開２００３−１２５５４４号公報
【特許文献８】特開２００７−１２９７９１号公報
【特許文献９】特開２００４−１８４７１３号公報
【発明の開示】
【発明が解決しようとする課題】
【００１２】
金属材料からなる外装筐体（金属筐体）を備えることにより、装置全体の剛性を十分に確保できるとともに、外観上の品格を出すことが可能であるが、無接点充電を行うことができないという課題がある。
【００１３】
具体的には、無接点充電時に、外装筐体内に配設されている受電コイル（２次コイル）と外装筐体の外部の給電コイル（１次コイル）との間に金属材料（外装筐体）が存在することになり、発熱してしまう。そのような発熱を防止するための金属検知機能が働く場合には、無接点充電自体が行われない。
【００１４】
金属筐体の表面に合成樹脂材料を配設し、この合成樹脂材料の上にコイルを配置する構成も考えられるが、外観上の品位を損なってしまう。
【００１５】
また、給電コイルと受電コイルとの間の距離が大きいと伝送効率が悪いという課題もある。
【００１６】
また、装置の小型化が求められているので、コイルの新たな設置場所が無いという課題もある。
【００１７】
特許文献１〜９には、金属筐体を備えるとともに無接点充電をすることができる具体的な構成について、記載が無い。
【００１８】
特許文献１に記載の構成は、金属筐体の場合、前述のように給電コイルと受電コイルとの間に金属筐体が存在することになるので、無接点充電を行うことができない。
【００１９】
特許文献２に記載の構成は、レンズキャップからレンズに対して給電するものであり、カメラ本体に対して給電するものではない。
【００２０】
特許文献３に記載の構成は、カメラ本体からレンズに対して給電するものであり、カメラ本体に対して給電するものではない。
【００２１】
特許文献４には、金属筐体の場合について記載が無いだけでなく、三脚穴を挟んでコイルを設置するため、その分余計に場所を取ってしまう、
特許文献５に記載の構成は、レンズバリアの内部にコイルが設けられており、レンズバリアが金属筐体の一部である場合には、前述のように給電コイルと受電コイルとの間に金属材料が存在することになるので、無接点充電を行うことができない。
【００２２】
特許文献６は、表示に関するものであり、金属筐体を備えるとともに無接点充電をすることができる構成について、記載が無い。
【００２３】
特許文献７に記載の構成は、電池蓋の内部にコイルが設けられており、電池蓋が外装筐体の一部である場合には、前述のように給電コイルと受電コイルとの間に金属材料が存在することになるので、無接点充電を行うことができない。
【００２４】
特許文献８に記載の構成は、防水ケ−スが無ければ無接点充電することができず、カメラ単体では無接点充電できない。
【００２５】
特許文献９に記載の構成は、レンズカバー内にバッテリ−が内蔵されているだけで、無接点充電はできない。
【００２６】
本発明はこのような事情に鑑みてなされたもので、金属材料の外装筐体を備えるとともに無接点充電をすることができる撮影装置を提供することを目的とする。
【課題を解決するための手段】
【００２７】
前記目的を達成するために、請求項１に記載の発明は、撮影レンズおよび充電電池を収納する本体と、前記本体に対して移動する移動部材と、前記充電電池を充電するための無接点受電、および、前記充電電池の電力を外部に供給するための無接点給電の少なくともいずれかに用いられるコイルと、を備え、前記本体および前記移動部材は、金属材料を含み、前記コイルは、前記本体および前記移動部材のいずれかに配設され、前記コイルの周囲には、樹脂材料が配設され、前記移動部材が前記本体に対して移動することにより、前記コイルの非露出状態および露出状態が切り換わる構造であることを特徴とする撮影装置を提供する。
【００２８】
なお、コイルの非露出状態とは、コイルが金属材料により覆われている状態である。また、コイルの露出状態とは、コイルが金属材料により覆われている状態を脱した状態である。コイルの露出状態には、コイルが外部に直接的に露出している場合のみでなく、非金属材料（例えば透光性の樹脂材料）を介して間接的に露出している場合を含む。
【００２９】
この発明によれば、コイルの周囲に樹脂材料が配設されているとともに、移動部材が本体に対して移動することによりコイルの非露出状態および露出状態が切り換わるので、金属検知機能にかからないようにすることができるとともに、金属による発熱を防止できる。また、移動部材によりコイルを非露出にしておくことが可能なので、外観上の品位を保つことができる。また、無接点充電時にはコイルが露出して、給電コイルと受電コイルとの間の距離を小さくすることが可能であり、無接点充電時の電力の伝送効率を向上させることができる。
【００３０】
請求項２に記載の発明は、請求項１に記載の発明において、前記移動部材は、前記本体に対してスライドすることにより、前記撮影レンズの非露出状態および露出状態を切り換えるレンズカバーであることを特徴とする撮影装置を提供する。
【００３１】
この発明によれば、レンズカバーにより覆われる部分を有効利用してコイルを配設できるので、コイル用のスペースを新たに作り出す必要がなく、装置サイズを大きくすることなく小型のまま維持できる。
【００３２】
請求項３に記載の発明は、撮影レンズおよび充電電池を収納する本体と、前記本体に対してスライドすることにより、前記撮影レンズの非露出状態および露出状態を切り換えるレンズカバーと、前記充電電池を充電するための無接点受電、および、前記充電電池の電力を外部に供給するための無接点給電の少なくともいずれかに用いられるコイルと、を備え、前記レンズカバーは、開口部を有し、前記レンズカバーには、前記レンズカバーの前記開口部を開閉する窓である移動部材が形成され、前記本体および前記レンズカバーおよび前記移動部材は、金属材料を含み、前記コイルは、前記本体のうち、前記撮影レンズが非露出状態であって前記レンズカバーの前記開口部が閉状態であるときには前記移動部材により覆われる一方で前記撮影レンズが非露出状態であって前記レンズカバーの前記開口部が開状態であるときには露出する位置に配設され、前記コイルの周囲には、樹脂材料が配設されていることを特徴とする撮影装置を提供する。
【００３３】
この発明によれば、コイルの周囲に樹脂材料が配設されているとともに、レンズカバーの開口部を開閉する窓によりコイルの非露出状態および露出状態が切り換わるので、金属検知機能にかからないようにすることができるとともに、金属による発熱を防止できる。また、レンズカバーにより覆われる部分を有効利用してコイルを配設できるので、コイル用のスペースを新たに作り出す必要がなく、装置サイズを大きくすることなく小型のまま維持できる。また、撮影レンズの露出状態ではコイルを露出させないので、撮影時にも外観上の品位を保つことができる。また、無接点充電時にはコイルが露出して、給電コイルと受電コイルとの間の距離を小さくすることが可能であり、無接点充電時の電力の伝送効率を向上させることができる。
【００３４】
請求項４に記載の発明は、請求項１に記載の発明において、前記本体に対してスライドする第１段目のスライド部材として、前記撮影レンズの非露出状態および露出状態を切り換えるレンズカバーを備え、前記移動部材は、前記レンズカバーから独立して前記本体に対してスライド可能な第２段目のスライド部材であることを特徴とする撮影装置を提供する。
【００３５】
この発明によれば、レンズカバーにより覆われる部分を有効利用してコイルを配設できるので、コイル用のスペースを新たに作り出す必要がなく、装置サイズを大きくすることなく小型のまま維持できる。また、移動部材がレンズカバーから独立して本体に対してスライド可能なので、撮影レンズの露出状態ではコイルを露出させないようにすることが可能であり、撮影時にも外観上の品位を保つことができる。
【００３６】
請求項５に記載の発明は、請求項２に記載の発明において、前記レンズカバーのスライド方向において前記レンズカバーの幅は前記本体の幅よりも小さく、前記レンズカバーが前記スライド方向において前記本体よりも外側に突出しない状態のままで前記撮影レンズの非露出状態および露出状態が切り換わり、前記コイルは、前記レンズカバーが前記スライド方向において前記本体よりも外側に突出しない状態では前記レンズカバーにより覆われる一方で、前記レンズカバーが前記スライド方向において前記本体よりも外側に突出した状態では露出される位置に配設されていることを特徴とする撮影装置を提供する。
【００３７】
この発明によれば、撮影時にコイルを非露出にしておくことで、撮影時にも外観上の品位を保つことができる。
【００３８】
請求項６に記載の発明は、請求項２に記載の発明において、前記レンズカバーは、前記本体よりも外側に突出してスライド可能に前記本体に取り付けられており、前記コイルは、前記レンズカバーの外装面とは反対側の裏面に配設され、前記レンズカバーが前記スライド方向において前記本体よりも外側に突出しない状態では前記本体により覆われる一方で、前記レンズカバーが前記本体よりも外側に突出した状態では露出することを特徴とする撮影装置を提供する。
【００３９】
この発明によれば、撮影時にコイルを非露出にしておくことで、撮影時にも外観上の品位を保つことができる。
【００４０】
請求項７に記載の発明は、請求項１ないし５の何れかに記載の発明において、前記移動部材の移動により前記コイルが非露出状態から露出状態に切り換わるとき、前記コイルを前記本体内から前記本体の外部に向けて上昇させる機構を設けたことを特徴とする撮影装置を提供する。
【００４１】
この発明によれば、給電コイルおよび受電コイル間の距離を極力密接させることが可能となり、さらに無接点充電時の電力の伝送効率を向上させることができる。
【００４２】
請求項８に記載の発明は、請求項２に記載の発明において、前記本体は、被写体に照射される光を発光する発光部を有し、前記レンズカバーは、前記撮影レンズが露出状態であるときに前記発光部からの光を通す位置に窓が配設され、前記コイルは、前記本体のうち、前記撮影レンズが非露出状態であるときに前記窓を介して露出される領域に配設されていることを特徴とする撮影装置を提供する。
【００４３】
この発明によれば、撮影時にコイルを非露出にしておくことで、撮影時にも外観上の品位を保つことができる。また、従来あるフラッシュ窓を利用可能であり、新たな窓を作り出す必要がない。
【００４４】
請求項９に記載の発明は、請求項１または２に記載の発明において、前記移動部材が前記本体に当接した当接状態と前記移動部材が前記本体から離間した離間状態とを切り換え可能に前記移動部材を前記本体に結合する結合構造を有し、前記コイルは、前記移動部材および前記本体のうち何れかに配置され、前記離間状態にて前記本体と前記移動部材との間の間隙空間に露出することを特徴とする撮影装置を提供する。
【００４５】
この発明によれば、給電コイルと受電コイルとの距離を小さく且つ一定にすることが可能であり、無接点充電時の電力の伝送効率が確実に向上する。
【００４６】
請求項１０に記載の発明は、請求項９に記載の発明において、前記受電コイルおよび前記給電コイルのうち、一方を前記移動部材に配設し、他方を前記本体に配設したことを特徴とする撮影装置を提供する。
【００４７】
この発明によれば、無接点受電および無接点給電の両方を行うことができる。
【００４８】
請求項１１に記載の発明は、請求項１に記載の発明において、前記移動部材の少なくとも一部を前記本体から突出させるボタンを備え、前記コイルは、前記移動部材のうち前記本体から突出する領域に配設されていることを特徴とする撮影装置を提供する。
【００４９】
この発明によれば、移動部材の非突出時に外部に露出しない部分を有効利用してコイルを配設できるので、コイル用のスペースを新たに作り出す必要がなく、装置サイズを大きくすることなく小型のまま維持できる。
【００５０】
請求項１２に記載の発明は、請求項１１に記載の発明において、被写体に照射される光を発光する発光部であることを特徴とする撮影装置を提供する。
【００５１】
この発明によれば、発光部の非突出時に外部に露出しない部分を有効利用してコイルを配設できるので、コイル用のスペースを新たに作り出す必要がなく、装置サイズを大きくすることなく小型のまま維持できる。
【００５２】
請求項１３に記載の発明は、請求項１に記載の発明において、前記移動部材は、前記本体に対して回動軸を中心に回動可能な表示板であり、前記コイルは、前記本体のうち前記表示板が格納される部分に配設されていることを特徴とする撮影装置を提供する。
【００５３】
この発明によれば、表示板が格納される部分を有効利用してコイルを配設できるので、コイル用のスペースを新たに作り出す必要がなく、装置サイズを大きくすることなく小型のまま維持できる。
【００５４】
請求項１４に記載の発明は、請求項１に記載の発明において、前記本体に着脱自在な収納物を収納する収納部を備え、前記収納部は、開口部を有し、前記移動部材は、前記収納部の前記開口部を開閉する蓋部であり、前記コイルは、前記本体のうち、前記蓋部が閉状態のときに前記蓋部により覆われる一方で前記蓋部が開状態のときに露出する位置に形成されていることを特徴とする撮影装置を提供する。
【００５５】
この発明によれば、本体のうち蓋部が閉状態のときに蓋部により覆われる部分を有効利用してコイルを配設できるので、コイル用のスペースを新たに作り出す必要がなく、装置サイズを大きくすることなく小型のまま維持できる。
【００５６】
請求項１５に記載の発明は、請求項１４に記載の発明において、前記収納物は、前記充電電池、または、画像を記録する記録メディアであることを特徴とする撮影装置を提供する。
【００５７】
請求項１６に記載の発明は、請求項１ないし１５の何れか１項に記載の発明において、前記コイルの非露出状態および露出状態を検出する検出部と、前記コイルが非露出状態であるときには充電を禁止する一方で、前記コイルが露出状態であるときには充電を許可する制御部と、を備えたことを特徴とする撮影装置を提供する。
【００５８】
この発明によれば、コイルが非露出状態であるときには充電が禁止されるので、無接点充電時の金属による発熱を確実に防止することができる。
【００５９】
請求項１７に記載の発明は、請求項１ないし１６のうち何れか１項に記載の発明において、前記コイルとして前記受電コイルおよび前記給電コイルの両方を備えたことを特徴とする撮影装置を提供する。
【００６０】
この発明によれば、無接点受電および無接点給電の両方を行うことができる。
【発明の効果】
【００６１】
本発明によれば、金属材料の外装筐体を備えるとともに無接点充電が可能な撮影装置を提供することができる。
【発明を実施するための最良の形態】
【００６２】
以下、添付図面に従って、本発明の実施形態について、詳細に説明する。
【００６３】
図１は、本発明を適用した無接点給電システムの一例を示すブロック図である。
【００６４】
図１において、本例の無接点給電システムは、電子カメラ１００および給電装置２００により構成されている。
【００６５】
電子カメラ１００は、受電コイル５４、ＣＰＵ（Central Processing Unit）１０１、撮影レンズ１０２、撮像素子１０３、撮像処理部１０４、ＤＲＡＭ（Dynamic Random Access Memory）１０５、画像処理部１０６、ＥＥＰＲＯＭ１０７、メモリカード１０８、ＵＳＢ（Universal Serial Bus）端子１１０、ＵＳＢインターフェース１１１、バス１１２、ＬＣＤ（Liquid Crystal Device）ドライバ１１３、ＬＣＤ１１４、発光部１１５、操作部１１６、電源部１１８、充電電池１１９、充電部１２０、および、近距離無線通信部１２２を含んで構成されている。
【００６６】
ＣＰＵ１０１は、プログラムに従い、電子カメラ１００全体の制御を行う。
【００６７】
撮影レンズ１０２は、被写体像を撮像素子１０３の受光面に結像させる。撮像素子１０３は、被写体像を光電変換してアナログの画像信号を出力する。撮像処理部１０４は、相関二重サンプリング、自動利得制御などのアナログ信号処理、および、アナログ／デジタル変換処理を行う。撮像処理部１０４から出力されたデジタルの画像データは、ＤＲＡＭ１０５に一時的に記憶される。画像処理部１０６は、デジタルの画像データに対して、γ補正、ホワイトバランス調整、画像圧縮または画像伸張などのデジタル信号処理を行う。
【００６８】
ＥＥＰＲＯＭ１０７は、ＣＰＵ１０１によって実行されるプログラム、後述の操作部１１６によって設定される設定情報など、各種の情報を記憶する。メモリカード１０８は、デジタルの画像データを格納するメモリであり、電子カメラ１００から着脱可能である。ＵＳＢインターフェース１１１は、ＵＳＢ１１０端子を介して、パーソナルコンピュータ等の外部装置との間で各種のデ−タの送受信を行うためのインターフェースである。近距離無線通信部１２２は、後述の給電装置２００との間で例えばＩＥＥＥ８０２.１５などの方式で無線通信を行うものである。
【００６９】
ＬＣＤドライバ１１３は、ＬＣＤ１１４を駆動してバス１１２を介してＤＲＡＭ１０５から取得した画像データに対応する画像をＬＣＤ１１４に表示させる。発光部１１５は、フラッシュ、ＬＥＤ等の発光素子によって構成されている。
【００７０】
操作部１１６は、ユ−ザによって操作される各種のスイッチ、ボタン、レンズカバーなどによって構成されている。
【００７１】
電源部１１８は、電子カメラ１００の各部に対して所定電圧に安定化された電力を供給する。充電電池１１９は、電子カメラ１００の電源となる充電可能な二次電池である。例えば、リチウムイオン電池、ニッケル水素電池、ニッカード電池などが挙げられる。
【００７２】
電子カメラ１００は、受電コイル５４および充電部１２０を有し、無接点受電によって充電電池１１９を充電する。すなわち、受電コイル５４には、後述の給電装置２００の給電コイル６４から発生する電磁波により誘導起電力が発生し、この誘導起電力は充電部１２０によって整流され、充電電池１１９に出力される。充電電池１１９は、充電部１２０から加えられる充電電流によって充電される。なお、ＣＰＵ１０１は、充電電池１１９の充電状況を監視しており、充電電池１１９が満充電されると充電を停止させる制御等を行う。
【００７３】
給電装置２００は、給電コイル６４、ＡＣ／ＤＣ変換部２０４、発振部２０６、ＵＳＢ端子２１０、ＵＳＢインターフェース２１１、ビデオインターフェース２１７、ビデオ端子２１８、および、近距離無線通信部２２２を含んで構成されている。
【００７４】
ＡＣ／ＤＣ変換部２０４は、電源コ−ド２０２を介して供給される交流の電圧を直流に整流し、安定化して、所定電圧の直流電流を発振部２０６に供給する。発振部２０６は、ＡＣ／ＤＣ変換部２０４から入力される直流電流を電源として数１０ＫＨｚ〜数１００ＫＨｚの周波数で給電コイル６４を励磁し、給電コイル６４から無接点給電用の電磁波を発生させる。
【００７５】
近距離無線通信部２２２は、電子カメラ１００との間で例えばＩＥＥＥ８０２.１５などの方式で無線通信を行うものである。
【００７６】
ＵＳＢインターフェース２１１は、電子カメラ１００から近距離無線通信により送られてくる画像データを、ＵＳＢ２１０端子を介して、パーソナルコンピュータ等の外部装置との間で各種のデ−タの送受信を行うものである。ビデオインターフェース２１７は、電子カメラ１００から近距離無線通信により送られてくる画像データをビデオ信号に変換して、ビデオ端子２１８を介して、テレビジョン等の外部装置に送信するものである。
【００７７】
図１の電子カメラ１００に対して無接点給電機能を追加した構成を図２に示す。図２において、電子カメラ１００は、給電コイル６４および発振部１２６を有し、無接点給電および無接点受電の両方が可能である。無接点給電では、電子カメラ１００の充電電池１１９の電力を、外部装置（例えば他の電子カメラ１００）に無接点で給電する。電子カメラ１００の発振部１２６は、電源部１１８から入力される直流電流を電源として数１０ＫＨｚ〜数１００ＫＨｚの周波数で給電コイル６４を励磁し、給電コイル６４から無接点給電用の電磁波を発生させる。
【００７８】
受電コイル５４は、要するに、無接点受電用のコイルであり、充電部１２０に接続される。給電コイル６４は、要するに、無接点給電用のコイルであり、発振部１２６に接続される。
【００７９】
なお、同一のコイルを受電コイルおよび給電コイルとして切換可能に実装することも可能である。このような場合にも本発明を適用できる。
【００８０】
以下では、図１または図２に示した電子カメラについて、各種の実施形態に分けて詳説する。
【００８１】
（第１実施形態）
図３（Ａ）および（Ｂ）を用いて、本実施形態の一例の電子カメラ１００ａについて、説明する。
【００８２】
図３（Ａ）は、レンズカバー２４で撮影レンズ１０２が覆われた状態（撮影レンズ非露出状態）の電子カメラ１００ａを示す正面図である。図３（Ｂ）は、レンズカバー２４がカメラ本体２２に対してスライド移動し、撮影レンズ１０２が露出した状態（撮影レンズ露出状態）の電子カメラ１００ａを示す正面図である。
【００８３】
本例の電子カメラ１００ａは、図１に示したように、受電コイル５４を有する。カメラ本体２２には、図１に示した各種部品（撮影レンズ１０２、撮像素子１０３、撮像処理部１０４、充電電池１１９、充電部１２０など）が収納されている。
【００８４】
本実施形態において電子カメラ１００ａの外装筐体２０は、カメラ本体２２、および、カメラ本体２２に対してスライド移動するレンズカバー２４を含んで、構成されている。
【００８５】
レンズカバー２４は、電子カメラ１００ａの電源スイッチを兼ねている。図３（Ａ）に示す撮影レンズ非露出状態にて、レンズカバー２４を矢印Ｌ方向にスライド移動させる操作（レンズカバー２４を開く操作である）を行うと、電子カメラ１００ａは、図３（Ｂ）に示す撮影レンズ露出状態に切り換わるとともに、電源オフ状態から電源オン状態に切り換わる。また、図３（Ｂ）に示す撮影レンズ露出状態にて、レンズカバー２４を矢印Ｒ方向にスライド移動させる操作（レンズカバー２４を閉じる操作である）を行うと、電子カメラ１００ａは、図３（Ａ）に示す撮影レンズ非露出状態に切り換わるとともに、電源オン状態から電源オフ状態に切り換わる。レンズカバー２４のスライド方向Ｌ、Ｒにおいて、スライド可能幅Ｗｓはカメラ本体２２の幅Ｗｂとレンズカバー２４の幅Ｗｃとの差（Ｗｂ−Ｗｃ）以下であり、レンズカバー２４がスライド可能幅Ｗｓだけスライドしても、レンズカバー２４はカメラ本体２２よりも外側には突出しないようになっている。
【００８６】
カメラ本体２２およびレンズカバー２４からなる外装筐体２０は、主として金属材料により形成されている。本例では、図３（Ａ）に示す撮影レンズ非露出状態にて、外装面のうちで、発光部（図１の１１５）の窓７１、図３（Ａ）では図示を省略したＬＣＤ（図１の１１４）および操作部（図１の１１６）を除いて、金属材料によって構成されている。すなわち、外装筐体２０の表面のうち、撮影レンズ非露出状態にて露出する領域の半分以上が、金属である。
【００８７】
図３（Ｃ）は、レンズカバー２４を取り外したカメラ本体２２の正面図である。無接点受電モジュール５０は、カメラ本体２２の表面のうち、図３（Ａ）に示す撮影レンズ非露出状態にてレンズカバー２４により覆われる一方で、図３（Ｂ）に示す撮影レンズ露出状態にて露出する領域２４２に埋め込まれている。また、無接点受電モジュール５０は、合成樹脂材料からなる樹脂基板５２に受電コイル５４が配設されて構成されている。すなわち、受電コイル５４は、撮影レンズ非露出状態にてレンズカバー２４により覆われる一方で、撮影レンズ露出状態にて外部に露出し、且つ、周囲に合成樹脂材料が配置されている構造となっている。無接点受電モジュール５０の周囲にさらに合成樹脂材料を配置してもよい。無接点受電モジュール５０の裏側には、充電部（図１の１２０）が形成されており、この充電部１２０に受電コイル５４が接続されている。
【００８８】
本実施形態の電子カメラ１００ａは、図３（Ａ）に示す状態では、撮影レンズ１０２およびコイル５４は非露出状態、かつ、電源オフ状態であり、充電は不可である。その一方で、図３（Ｂ）に示す状態では、撮影レンズ１０２および受電コイル５４は露出状態、かつ、電源オン状態であり、充電可能である。ユ−ザは、特に充電の必要性が高い電源オン時や撮影中に、速やかに充電を開始することが可能である。例えば、レンズカバー２４をスライド操作して電源オンしたとき、コイル５４は露出状態であり、ＣＰＵ（図１の１０１）は、充電電池（図１の１１９）の充電が必要か否かを判定し、充電が必要と判定した場合には、ＬＣＤ（図１の１１４）によって充電が必要である旨のメッセ−ジを通知する。この場合、ユ−ザは、給電装置（図１の２００）の給電コイル（図１の６４）を電子カメラ１００ａの受電コイル５４に近づけて、速やかに充電を開始できる。
【００８９】
また、撮影レンズ１０２を露出させて撮影を行っている間、受電コイル５４は露出状態であり、ＣＰＵ（図１の１０１）は充電電池（図１の１１９）の充電が必要か否かを判定し、充電が必要と判定した場合には、ＬＣＤ（図１の１１４）によって充電が必要である旨のメッセージを表示する。この場合、ユ−ザは、例えば動画の撮影を続行しながら給電装置（図１の２００）の給電コイル（図１の６４）を電子カメラ１００ａの受電コイル５４に近づけて、速やかに充電を開始することも可能である。
【００９０】
本実施形態の電子カメラ１００ａは、外装筐体２０が主として金属材料により形成されているので、外装筐体２０の剛性を高めることができ、また、外観の高級感を出すことが可能である。
【００９１】
また、本実施形態の電子カメラ１００ａは、無接点充電用のコイル５４の周囲に樹脂材料が配設されているとともに、レンズカバー２４がカメラ本体２２に対してスライド移動することにより無接点充電用のコイルの非露出状態および露出状態を切り換える構造であるので、無接点充電時の金属に因る発熱を防止できるとともに、無接点充電の相手側の装置が金属検知機能を有している場合でも金属検知にかからないようにすることができる。
【００９２】
また、本実施形態の電子カメラ１００ａは、外装筐体２０内の空きスペースを活かしているので、外装面に新たにスペースを作る必要が無い。
【００９３】
なお、本例では、充電電池１１９を充電するための無接点受電に用いる受電コイル５４のみをカメラ本体２２に設けた場合を例に説明したが、充電電池１１９の電力を外部に供給するための無接点給電に用いる給電コイルを受電コイル５４とともにカメラ本体２２に設けてもよい。すなわち、本実施形態の電子カメラ１００ａは、図２に示した電子カメラに適用できる。これにより、携帯装置同士（電子カメラ−電子カメラ、電子カメラ−携帯電話など）で無接点受電および無接点給電の両方が可能になる。
【００９４】
また、無接点受電および無接点給電を両方可能にするためには、カメラ本体２２に受電コイルおよび給電コイルの両コイルを配設する態様と、同一のコイルを無接点受電および無接点給電で兼用する態様がある。
【００９５】
（第２実施形態）
図４（Ａ）および（Ｂ）を用いて、本実施形態の一例の電子カメラ１００ｂについて、説明する。なお、第１実施形態において説明した構成要素は、同じ符号で図示してあり、既に説明した内容はその説明を省略する。
【００９６】
図４（Ａ）は、スライド小窓７２で受電コイル５４が覆われた状態（コイル非露出状態）の電子カメラ１００ｂを示す正面図である。図４（Ｂ）は、スライド小窓７２がレンズカバー２４およびカメラ本体２２に対してスライド移動し、受電コイル５４が露出した状態（コイル露出状態）の電子カメラ１００ｂを示す正面図である。
【００９７】
本実施形態において、電子カメラ１００ｂの外装筐体２０は、カメラ本体２２、レンズカバー２４およびスライド小窓７２を含んで構成されている。これらのカメラ本体２２およびレンズカバー２４およびスライド小窓７２は、金属材料により形成されている。
【００９８】
スライド小窓７２は、レンズカバー２４に形成されている開口部（図４（Ｂ）の７２０）を開閉する窓であり、レンズカバー２４に取り付けられている。本例では、撮影レンズ１０２の非露出状態にて、カメラ本体２２に配設されている受電コイル５４の非露出状態および露出状態を切り換える。
【００９９】
受電コイル５４は、カメラ本体２２のうち、スライド小窓７２の閉状態（具体的には撮影レンズ１０２が非露出状態であってレンズカバー２４の開口部７２０が閉状態であるとき）には、スライド小窓７２により覆われる一方で、スライド小窓７２の開状態（具体的には撮影レンズ１０２が非露出状態であってレンズカバー２４の開口部７２０が開状態であるとき）には露出する位置に配設されている。また、受電コイル５４は、樹脂基板５２上に形成されている。すなわち、受電コイル５４の周囲に樹脂材料が配設されている。無接点受電モジュール５０は、樹脂基板５２および受電コイル５４を有する。
【０１００】
本実施形態の電子カメラ１００ｂは、外装筐体２０が金属を含んで形成されていても、撮影レンズ１０２の非露出状態にて無接点充電用のコイル５４が外部に露出するように、もう１つのスライドする部材（スライド小窓７２）を設けた構造である。レンズカバー２４をスライドしただけではコイル５４が露出しないので、外観上の品位を保つことができる。
【０１０１】
（第３実施形態）
図５（Ａ）〜（Ｃ）を用いて、本実施形態の一例の電子カメラ１００ｃについて、説明する。なお、第１実施形態および第２実施形態において説明した構成要素は、同じ符号で図示してあり、既に説明した内容はその説明を省略する。
【０１０２】
図５（Ａ）は、図４（Ａ）の５Ａ−５Ａ線に沿った断面を示す断面図であり、スライド小窓７２により受電コイル５４が覆われた状態を示す。図５（Ｂ）および図５（Ｃ）は、図４（Ｂ）の５Ｃ−５Ｃ線に沿った断面図であり、図５（Ｂ）は露出した受電コイル５４が未上昇の状態を示し、図５（Ｃ）は露出した受電コイル５４がレンズカバー２４のスライド面レベルまで上昇した状態を示す。実際には、図５（Ａ）に示す状態にてスライド小窓７２がスライド移動すると同時に、図５（Ｃ）に示すように無接点充電用のコイル５４が上昇した状態となる。
【０１０３】
本例では、無接点受電モジュール５０をカメラ本体２２の内部から外部に向けて付勢する部材７３により、コイル５４の上昇機構が構成されているが、特にこのような場合にコイル５４の上昇機構は限定されない。スライド小窓７２の移動により受電コイル５４が非露出状態から露出状態に切り換わるとき、受電コイル５４をカメラ本体２２内からカメラ本体２２の外部に向けて上昇させる機構であればよい。また、図５（Ｃ）において、コイル５４は、レンズカバー２４の外装面（スライド小窓７２の外装面レベル）まで上昇しているが、レンズカバー２４の外装面よりもさらに外部側に突出するように構成してもよい。
【０１０４】
本実施形態の電子カメラ１００ｃでは、第２実施形態の電子カメラ１００ｂと同じ作用効果を得られるだけでなく、スライド小窓７２の移動によりコイルが非露出状態から露出状態に切り換わるとき、コイル５４がカメラ本体２２内からカメラ本体２２の外部に向けて上昇するので、無接点充電時に給電側と受電側とのコイル間距離が短縮し、無接点充電時の電力の伝送効率を向上させることができる。
【０１０５】
（第４実施形態）
図６（Ａ）〜（Ｃ）を用いて、本実施形態の一例の電子カメラ１００ｄについて、説明する。なお、第１実施形態において説明した構成要素は、同じ符号で図示してあり、既に説明した内容はその説明を省略する。
【０１０６】
図６（Ａ）は、撮影レンズ１０２および受電コイル５４が共に非露出である状態を示す正面図である。図６（Ｂ）は、撮影レンズ１０２が露出し、受電コイル５４が非露出である状態を示す正面図である。図６（Ｃ）は、撮影レンズ１０２および受電コイル５４が共に露出した状態を示す正面図である。
【０１０７】
本実施形態において、電子カメラ１００ｄの外装筐体２０は、カメラ本体２２と、カメラ本体２２に対してスライド移動する第１段目のスライド部材であるレンズカバー２４および第２段目のスライド部材であるスライド扉７４とによって、構成されている。これらのカメラ本体２２およびレンズカバー２４およびスライド扉７４は、金属材料により形成されている。
【０１０８】
本例では、レンズカバー２４のスライド移動により、撮影レンズ１０２の非露出状態および露出状態が切り換わり、スライド扉７４の移動により、無接点充電用のコイル５４の非露出状態および露出状態が切り換わる。
【０１０９】
撮影レンズ１０２は、図６（Ａ）に示す状態ではレンズカバー２４の右部分２４Ｒにより覆われており、レンズカバー２４（２４Ｒ、２４Ｌ）が矢印Ｌ方向にスライドすることにより、図６（Ｂ）に示すように撮影レンズ１０２が露出する。受電コイル５４は、図６（Ａ）に示す状態ではレンズカバー２４の左部分２４Ｌにより覆われており、図６（Ｂ）に示す状態ではレンズカバー２４とともにスライドしたスライド扉７４により覆われており、スライド扉７４がレンズカバー２４から独立してカメラ本体２２に対して矢印Ｌ方向にスライドすることにより、図６（Ｃ）に示すように受電コイル５４が露出する。
【０１１０】
カメラ本体２２のうち、無接点充電用のコイル５４の周囲には、樹脂材料が配設されている。
【０１１１】
本実施形態の電子カメラ１００ｄでは、カメラ本体２２のうちレンズカバー２４を動かす際に外装として見えない領域に無接点充電用のコイル５４が配設されており、そのコイル５４を外部に露出させるように二段のスライド構造を備える。
【０１１２】
なお、本実施形態でも、第３実施形態と同様に、無接点充電用のコイル５４が非露出状態から露出状態に切り換わるとき、コイル５４をカメラ本体２２内からカメラ本体２２の外部に向けて上昇させる機構を設けてもよい。この場合、スライド扉７４のスライド移動によりコイル５４が外装筐体２０の表面レベル（スライド扉７４のスライド面の高さ）まで上昇する。コイル５４を外装筐体２０の表面レベルよりもさらに外部側に突出するように構成してもよい。
【０１１３】
（第５実施形態）
図７（Ａ）〜（Ｄ）を用いて、本実施形態の一例の電子カメラ１００ｅについて、説明する。なお、第１実施形態において説明した構成要素は、同じ符号で図示してあり、既に説明した内容はその説明を省略する。
【０１１４】
図７（Ａ）は、レンズカバー２４で撮影レンズ１０２およびコイル５４が共に覆われた状態（未スライド状態）の電子カメラ１００ｅを示す正面図である。図７（Ｂ）は、レンズカバー２４がカメラ本体２２に対して第１のスライド移動をして撮影レンズ１０２が露出し、コイル５４が未だレンズカバー２４で覆われている状態（第１のスライド状態）の電子カメラ１００ｅを示す正面図である。図７（Ｃ）は、レンズカバー２４がカメラ本体２２に対してさらに第２のスライド移動をして撮影レンズ１０２およびコイル５４が共に露出した状態（第２のスライド状態）の電子カメラ１００ｅを示す正面図である。図７（Ｄ）は、図７（Ｃ）の７Ｄ−７Ｄ線に沿った断面図である。
【０１１５】
外装筐体２０は、カメラ本体２２およびレンズカバー２４を含んで構成され、金属材料により形成されている。
【０１１６】
レンズカバー２４のスライド方向（ＬおよびＲ）においてレンズカバー２４の幅Ｗｃはカメラ本体２２の幅Ｗｂよりも小さく、図７（Ａ）および（Ｂ）に示すように、レンズカバー２４がスライド方向においてカメラ本体２２よりも外側に突出しない状態のままで、撮影レンズ１０２の非露出状態および露出状態が切り換わる。
【０１１７】
無接点充電用のコイル５４は、カメラ本体２２に配設されており、具体的には、レンズカバー２４がスライド方向においてカメラ本体２２よりも外側に突出しない状態ではレンズカバー２４により覆われる一方で、レンズカバー２４がスライド方向においてカメラ本体２２よりも外側に突出した状態では露出される位置に配設されている。
【０１１８】
図７（Ａ）に示す未スライド状態では、撮影レンズ１０２およびコイル５４は非露出状態、かつ、電源オフ状態であり、充電は不可である。未スライド状態にて、レンズカバー２４を矢印Ｌ方向にスライドすることにより、図７（Ｂ）に示す第１のスライド状態となる。第１のスライド状態では、撮影レンズ１０２は露出状態、コイルは非露出状態、かつ、電源オン状態であり、充電は不可である。図７（Ｂ）に示す第１のスライド状態にて、レンズカバー２４を矢印Ｌ方向にさらにスライドさせることにより、図７（Ｃ）に示す第２のスライド状態となる。第２のスライド状態では、撮影レンズ１０２およびコイル５４は露出状態、かつ、電源オン状態であり、充電可能となる。
【０１１９】
本実施形態の電子カメラ１００ｅでは、撮影レンズ１０２が露出するように未スライド状態から第１スライド状態に切り換えても、カメラ本体２２にはレンズカバー２４で隠れて外装としては見えない領域が存在する。この領域を露出させるように、レンズカバー２４はカメラ本体２２よりも外側に突出可能にカメラ本体２２に取り付けられている。
【０１２０】
コイル５４は、カメラ本体２２のうちで、レンズカバー２４が非突出状態であるときにはレンズカバー２４で覆われる一方で、レンズカバー２４がカメラ本体２２よりも外側に突出した突出状態であるときには露出する位置に、配設されている。
【０１２１】
本実施形態の電子カメラ１００では、非充電時の外観は従来と変わらないので、外観上の品位を保つことができる。また、本実施形態の電子カメラ１００では、コイル５４が外に露出するので、コイル間距離の短縮が可能であり、充電効率向上を図ることができる。また、本実施形態の電子カメラ１００では、コイルの周囲が合成樹脂材料なので、無接点充電時の金属検知を回避するとともに金属に因る発熱を防止できる。
【０１２２】
（第６実施形態）
図８（Ａ）〜（Ｅ）を用いて、本実施形態の電子カメラ１００ｆについて、説明する。なお、第１実施形態において説明した構成要素には、同じ符号で図示してあり、既に説明した内容はその説明を省略する。
【０１２３】
図８（Ａ）は、未スライド状態を示す正面図である。図８（Ｂ）は、未スライド状態にてレンズカバー２４をカメラ本体２２に対して矢印Ｌ方向にスライドさせた状態（以下「正スライド状態」という）を示す正面図である。図８（Ｃ）は、未スライド状態にてレンズカバー２４をカメラ本体２２に対して矢印Ｒ方向にスライドさせた状態（以下「逆スライド状態」という）を示す正面図である。図８（Ｄ）は、図８（Ｃ）に対応する背面図である。図８（Ｅ）は、図８（Ｄ）の８Ｅ−８Ｅ線に沿った断面図である。
【０１２４】
外装筐体２０は、カメラ本体２２およびレンズカバー２４を含んで構成され、金属材料により形成されている。
【０１２５】
無接点充電用のコイル５４は、レンズカバー２４の外装面とは反対側の裏面に配設され、レンズカバー２４がスライド方向においてカメラ本体２２よりも外側に突出しない状態ではカメラ本体２２により覆われる一方で、レンズカバー２４がスライド方向においてカメラ本体２２よりも外側に突出した状態では露出される位置に配設されている。
【０１２６】
図８（Ａ）に示す未スライド状態では、撮影レンズ１０２およびコイル５４は非露出状態、かつ、電源オフ状態であり、充電は不可である。未スライド状態にて、レンズカバー２４を矢印Ｌ方向にスライドさせることにより、図８（Ｂ）に示す正スライド状態となる。正スライド状態では、撮影レンズ１０２は露出状態、コイルは非露出状態、かつ、電源オン状態であり、充電は不可である。図８（Ｂ）に示す正スライド状態にて、レンズカバー２４を矢印Ｒ方向にスライドさせることにより、図８（Ａ）に示す未スライド状態に戻る。
【０１２７】
また、図８（Ａ）に示す未スライド状態にて、レンズカバー２４を矢印Ｒ方向にスライドさせることにより、図８（Ｃ）に示す逆スライド状態となる。レンズカバー２４がカメラ本体２２よりも外側（矢印Ｒ方向側）に突出する。逆スライド状態では、撮影レンズ１０２およびコイル５４は露出状態、かつ、電源オン状態であり、充電可能となる。図８（Ｃ）に示す逆スライド状態にて、レンズカバー２４を矢印Ｌ方向にスライドさせることにより、図８（Ａ）に示す未スライド状態に戻る。
【０１２８】
図８（Ｄ）および（Ｅ）に示すように、コイル５４は、レンズカバー２４のうち外装面とは反対側の裏面（レンズカバー２４がスライドする側の面である）に、配置されている。逆スライド状態では、レンズカバー２４がカメラ本体２２の端部よりも外側（矢印Ｒ方向側）に突出し、コイル５４は露出する。図８（Ｅ）に示すように、露出したコイル５４を介して、外部の無接点充電モジュール６０からの無接点給電により充電電池（図１の１１９）を充電することが可能である。
【０１２９】
本実施形態の電子カメラでは、外装筐体２０において、通常のスライド（撮影レンズ１０２を露出させる正スライド）では外に露出しない領域であって、特別なスライド（無接点充電のための逆スライド）で外に露出する領域に、コイル５４およびその周囲の合成樹脂部分が配置されており、非充電時の外観は従来と変わらないので、外観上の品位を保つことができる。
【０１３０】
また、本実施形態の電子カメラでは、カメラ本体２２にはコイル５４を配置せず、レンズカバー２４の裏面にコイル５４を配置して、レンズカバー２４の可動範囲を変えたことで、無接点充電時の金属検知を回避するとともに金属に因る発熱を防止することができる。また、第３実施形態の電子カメラ１００ｃのようなコイルを上昇させる機構は不要である。
【０１３１】
また、本実施形態の電子カメラでは、図８（Ｅ）に示したように、コイル間距離を非常に小さくすることが可能であり、充電効率向上を図ることができる。
【０１３２】
（第７実施形態）
図９（Ａ）および（Ｂ）を用いて、本実施形態の電子カメラ１００ｇについて、説明する。なお、第１実施形態において説明した構成要素には、同じ符号で図示してあり、既に説明した内容はその説明を省略する。
【０１３３】
図９（Ａ）は、撮影レンズ１０２がレンズカバー２４で覆われている一方で、無接点充電用のコイル５４がフラッシュ窓７５を介して露出している状態（以下「撮影レンズ非露出状態」という）を示す正面図である。図９（Ｂ）は、撮影レンズ１０２が露出している一方で、無接点充電用のコイル５４がレンズカバー２４で覆われている状態（以下「撮影レンズ露出状態」という）を示す正面図である。図９（Ａ）の撮影レンズ非露出状態にて矢印Ｌ方向にレンズカバー２４がスライド移動することにより、図９（Ｂ）の撮影レンズ露出状態となる。また、図９（Ｂ）の撮影レンズ露出状態にて矢印Ｒ方向にレンズカバー２４がスライド移動することにより、図９（Ａ）の撮影レンズ非露出状態に戻る。図９（Ｃ）は、カメラ本体２２の正面図である。
【０１３４】
外装筐体２０は、カメラ本体２２およびレンズカバー２４を含んで構成され、金属材料により形成されている。
【０１３５】
図９（Ｃ）に示すように、カメラ本体２２の正面には、撮影レンズ１０２、被写体に照射される光を発光する発光部１１５（例えばフラッシュ）、および、無接点受電モジュール５０が配設されている。本例の無接点受電モジュール５０は、樹脂基板５２に受電コイル５４が形成されたものである。
【０１３６】
レンズカバー２４には、フラッシュ窓７５が配設されている。フラッシュ窓７５は、図９（Ｂ）に示す撮影レンズ露出状態にて発光部１１５からの光を通すようにして、レンズカバー２４に配置されている。すなわち、撮影レンズ１０２が露出する撮影時に、カメラ本体２２の発光部１１５とレンズカバー２４のフラッシュ窓７５とが重なり合う。フラッシュ窓７５は、例えば、透光性の合成樹脂材料からなり、レンズカバー２４に形成された開口部に取り付けられている。合成樹脂材料が無い単なる開口部によってフラッシュ窓７５が構成されていてもよい。
【０１３７】
コイル５４は、カメラ本体２２のうちで、図９（Ａ）に示す撮影レンズ非露出状態ではフラッシュ窓７５を介して露出される位置であって、図９（Ｂ）に示す撮影レンズ露出状態ではレンズカバー２４により覆われる位置に配設されている。また、コイル５４は、図９（Ａ）に示す撮影レンズ非露出状態にて、フラッシュ窓７５の内周に沿って巻いた形状となるように配設されている。フラッシュ窓７５の面積はコイル５４の巻面積よりも大きく、図９（Ａ）に示す撮影レンズ非露出状態にて、フラッシュ窓７５の内周はコイル５４の最外周よりもさらに外側に位置している。
【０１３８】
本実施形態の電子カメラは、合成樹脂製のフラッシュ窓７５を介して無接点充電用のコイルが露出することで、無接点充電時の金属検知を回避できるとともに金属に因る発熱を防止できる。また、従来あるフラッシュ窓を利用するため、新たな窓を形成する必要がない。
【０１３９】
（第８実施形態）
図１０（Ａ）、（Ｂ）および図１１（Ａ）〜（Ｄ）を用いて、本実施形態の電子カメラ１００ｈについて、説明する。なお、第１実施形態にて説明した構成要素は、同じ符号で図示してあり、既に説明した内容はその説明を省略する。
【０１４０】
図１０（Ａ）は撮影レンズ１０２が非露出状態の電子カメラ１００ｈを示す正面図であり、図１０（Ｂ）は撮影レンズ１０２が露出した状態の電子カメラ１００ｈを示す正面図である。図１０（Ａ）に示す撮影レンズ非露出状態にて矢印Ｌ方向にレンズカバー２４をスライドさせると、図１０（Ｂ）に示す撮影レンズ露出状態となる。図１０（Ｂ）に示す撮影レンズ露出状態にて矢印Ｒ方向にレンズカバー２４をスライドさせると、図１０（Ａ）に示す撮影レンズ非露出状態となる。本例にて、無接点充電用のコイル５４はレンズカバー２４の裏面（外装面とは反対側の面である）に実装されている。また、レンズカバー２４はスライド方向（矢印Ｌ、Ｒ方向）においてカメラ本体２２の外側には突出しない。すなわち、撮影レンズ１０２を露出させるためにレンズカバー２４をスライド移動させても、コイル５４は露出しない。
【０１４１】
図１１（Ａ）および（Ｂ）は、図１０（Ａ）の１１Ａ−１１Ａ線に沿った断面図であって、それぞれ、レンズカバー２４がカメラ本体２２に当接した状態（当接状態）、および、レンズカバー２４がカメラ本体２２から離間した状態（離間状態）を示す。これらの当接状態および離間状態を切り換え可能にして、レンズカバー２４がカメラ本体２２に結合されている。図１１（Ａ）に示す当接状態では、図１０（Ａ）および（Ｂ）に示したように、レンズカバー２４がカメラ本体２２に対してスライド可能である。図１１（Ｂ）に示す離間状態では、カメラ本体２２とレンズカバー２４との間に間隙空間７６０が形成される。
【０１４２】
無接点受電モジュール５０は、無接点受電用のコイル５４（受電コイル）が樹脂基板５２上に形成されたものであり、レンズカバー２４のうちカメラ本体２２に対向する位置に配設されている。コイル５４は、離間状態にてカメラ本体２２とレンズカバー２４との間の間隙空間７６０に露出する。本例では、無接点受電モジュール５０をレンズカバー２４に配設したが、カメラ本体２２に配設してもよい。この場合、コイル５４は、カメラ本体２２のうちレンズカバー２４に対向する位置に配設され、離間状態にて間隙空間７６０に露出する。
【０１４３】
結合部材７６は、図１１（Ａ）の当接状態と図１１（Ｂ）の離間状態とを切り換え可能にレンズカバー２４をカメラ本体２２に結合する。本例の結合部材７６は、一端がレンズカバー２４に固着されており、他端が矢印ＵおよびＤ方向の移動可能にカメラ本体２２に装着されている。なお、レンズカバー２４とカメラ本体２２との当接状態および離間状態を切り換える構造は、このような場合に、特に限定されない。また、手操作で切り換え操作を行う態様でもよく、図示省略のボタンを押すとレンズカバー２４がカメラ本体２２から自動的に離間する態様にしてもよい。
【０１４４】
図１１（Ｂ）の離間状態にてレンズカバー２４とカメラ本体２２との間の間隙空間７６０の間隔Ｄｓは一定であり、図１１（Ｃ）に示すように間隙空間７６０の間隔Ｄｓは間隙空間に差し込まれる無接点給電モジュール６０の厚みよりも大きい。受電コイル５４と給電コイル６４との間隔は、特に限定されないが、無接点充電時の電力の伝送効率を高くするために小さく（例えば１ｍｍ以内に）する。
【０１４５】
なお、カメラ本体２２およびレンズカバー２４は、図１１（Ａ）の当接状態にて露出する外装面側が金属材料により形成され、図１１（Ｂ）の離間状態にて間隙空間７６０に露出する面側（外装面とは反対側の裏面）が樹脂材料により形成されている構成でもよい。この場合、コイル５４をカメラ本体２２の裏面またはレンズカバー２４の裏面に直接配設してもよい。
【０１４６】
本実施形態では、図１１（Ａ）に示す当接状態にて、矢印Ｕ方向にレンズカバー２４を移動させると、図１１（Ｂ）に示す離間状態となる。図１１（Ｂ）に示す離間状態では、レンズカバー２４とカメラ本体２２との間に間隙空間７６０が形成され、図１１（Ｃ）に示すように、間隙空間７６０に、相手側の無接点充電モジュール６０を差し込むことができる。無接点給電モジュール６０は、無接点受電用のコイル６４（給電コイル）が樹脂基板６２上に形成されたものである。間隙空間７６０に無接点給電モジュール６０を差し込む様子を図１１（Ｄ）の正面図に示す。給電コイル６４と受電コイル５４との間隔を一定にすることができ、無接点充電時の電力の伝送効率を確実に向上させることができる。また、受電コイル５４の周囲には樹脂材料が配設されており、給電側が金属検知機能を有する場合でも金属検知を確実に回避できるとともに、充電時の発熱を防止できる。図１１（Ｂ）に示す離間状態にて、矢印Ｄ方向にレンズカバー２４を移動させると、図１１（Ａ）に示す当接状態に戻る。
【０１４７】
（第９実施形態）
図１２（Ａ）および（Ｂ）を用いて、本実施形態の電子カメラ１００ｉについて、説明する。なお、第１実施形態および第８実施形態において説明した構成要素は、同じ符号で図示してあり、既に説明した内容の説明は省略する。
【０１４８】
図１２（Ａ）および（Ｂ）は、それぞれ、レンズカバー２４とカメラ本体２２との当接状態および離間状態を示す断面図である。本実施形態では、受電コイル５４および給電コイル６４のうち、一方をレンズカバー２４に配設し、他方をカメラ本体２２に配設した。本例では、受電コイル５４がレンズカバー２４のうちカメラ本体２２に対向する位置に配設されており、給電コイル６４がカメラ本体２２のうちレンズカバー２４に対向する位置に配設されている。図１２（Ａ）に示す当接状態にて、矢印Ｕ方向にレンズカバー２４を移動させると、図１２（Ｂ）に示す離間状態となる。図１２（Ｂ）に示す離間状態では、レンズカバー２４とカメラ本体２２との間に間隙空間７６０が形成され、図１２（Ｃ）に示すように、間隙空間７６０に相手側の無接点受電モジュール５００または無接点給電モジュール６００を差し込むことができる。図１２（Ｂ）に示す離間状態にて、矢印Ｄ方向にレンズカバー２４を移動させると、図１２（Ａ）に示す当接状態に戻る。
【０１４９】
（第１０実施形態）
図１３（Ａ）、（Ｂ）を用いて、本実施形態の電子カメラ１００ｊについて、説明する。なお、第１実施形態において説明した構成要素は、同じ符号で図示してあり、既に説明した内容はその説明を省略する。
【０１５０】
図１３（Ａ）は、カメラ本体２２の内部に無接点受電モジュール５０が収納されている状態の電子カメラ１００ｊを示す正面図である。図１３（Ｂ）は、カメラ本体２２の内部から無接点受電モジュール５０が突出した状態の電子カメラ１００ｊを示す正面図である。
【０１５１】
図１３（Ａ）および（Ｂ）において、カメラ本体２２には、無接点受電モジュール５０をカメラ本体２２から突出させる突出ボタン７７が配設されている。電子カメラ１００ｊは、突出ボタン７７が押されたとき、受電コイル５４が外部に露出するまで、無接点受電モジュール５０をカメラ本体２２から突出させる機構を備えている。なお、ボタン押下によりプレート状の部材（無接点受電モジュール５０）を突出させる機構自体は公知の技術を用いればよく、その説明を省略する。
【０１５２】
本実施形態の電子カメラでは、無接点受電モジュール５０が本発明における「移動部材」を構成している。突出ボタン７７を押すと、無接点受電モジュール５０がカメラ本体２２から突出して、コイル５４が外部に露出するため、外装筐体２０が金属製であっても、無接点充電時の発熱防止および金属検知回避が可能となる。
【０１５３】
（第１１実施形態）
図１４（Ａ）〜（Ｄ）を用いて、本実施形態の電子カメラ１００ｋについて、説明する。なお、第１実施形態において説明した構成要素は、同じ符号で図示してあり、既に説明した内容はその説明を省略する。
【０１５４】
本例の電子カメラ１００ｋは、発光部（図１の１１５）として、ポップアップ式のフラッシュ装置を備える。フラッシュ装置１１５をカメラ本体２２の内部に収納した状態を図１４（Ａ）の正面図および図１４（Ｂ）の背面透視図に示す。また、突出ボタン７８を押して発光部１１５をカメラ本体２２から突出させた状態を図１４（Ｃ）の正面図および図１４（Ｄ）の背面透視図に示す。
【０１５５】
電子カメラ１００ｋの背面には、ＬＣＤ１１４、および、突出ボタン７８が配設されている。突出ボタン７８が押されると、フラッシュ装置１１５がカメラ本体２２から突出する。
【０１５６】
カメラ本体２２は、金属材料により形成されている。また、フラッシュ装置１１５の表面のうち、常に外部に露出する天面は金属材料からなり、その他の面は合成樹脂材料からなる。すなわち、フラッシュ装置１１５のうち図１４（Ｂ）に示す非突出状態にて外部に露出する部分が金属材料からなり、非露出の部分は合成樹脂材料からなる。無接点受電モジュール５０は、合成樹脂材料からなる背面に配設されている。なお、受電コイル５４をフラッシュ装置１１５の樹脂材料からなる背面に直接配設してもよい。
【０１５７】
本実施形態の電子カメラでは、フラッシュ装置１１５が本発明における「移動部材」を構成している。突出ボタン７８を押すと、フラッシュ装置１１５が外装筐体であるカメラ本体２２から突出して、コイル５４が外部に露出するため、外装筐体が金属製であっても、無接点充電時の発熱防止および金属検知回避が可能となる。また、相手側の無接点給電モジュール（図示省略）との距離を小さくすることができ、無接点充電時の充電効率が向上する。また、従来あるフラッシュ装置１１５の非発光面を有効利用できる。
【０１５８】
（第１２実施形態）
図１５（Ａ）および（Ｂ）を用いて、本実施形態の電子カメラ１００ｍについて、説明する。なお、第１実施形態において説明した構成要素は、同じ符号で図示してあり、既に説明した内容はその説明を省略する。
【０１５９】
図１５（Ａ）は、表示パネル７９がカメラ本体２２の表示パネル格納部８０に収納されている状態（パネル閉状態）の電子カメラ１００ｍを示す背面図である。図１５（Ｂ）は、表示パネル７９が回動してカメラ本体２２の表示パネル格納部８０から開き出た状態（パネル開状態）の電子カメラ１００ｍを示す背面図である。
【０１６０】
電子カメラ１００ｍの背面には、表示パネル７９、電子ビュ−ファインダ（ＥＶＦ）８１、および、各種の操作スイッチ（モ−ドダイアル８２など）が配設されている。
【０１６１】
本例の表示パネル７９は、表示デバイスとしてＬＣＤ１１４を有し、カメラ本体２２に対して回動軸７９０を中心に回動可能なパネルである。なお、本発明において表示パネル７９の回動方向は特に限定されず、チルト式でもよい。また、表示パネル７９の開閉は、手操作で行う構造でもよく、ボタン操作により開のみ行う構造でもよく、ボタン操作により開および閉の両方を行う構造でもよい。
【０１６２】
カメラ本体２２には、表示パネル格納部８０が形成されている。表示パネル格納部８０は、表示パネル７９を格納可能な凹部形状を有する。
【０１６３】
カメラ本体２２は、金属材料からなる。また、表示パネル７９の外装面のうち、閉状態で外部に露出する面（すなわち常に露出する面）側の部分は金属材料からなる。また、表示パネル格納部８０は、合成樹脂材料からなり、無接点受電モジュール５０が配置されている。すなわち、カメラ本体２２の表面のうち、表示パネル７９の開状態でのみ露出する領域に、合成樹脂材料を介して、コイル５４が配置されている。
【０１６４】
本実施形態の電子カメラでは、表示パネル７９が本発明における「移動部材」を構成している。表示パネルが開き出たとき、コイル５４が外部に露出するため、無接点充電時の発熱防止および金属検知回避となる。また、表示パネルの開出で相手側の無接点給電モジュール（図示省略）との距離を密にすることができ、充電効率が向上する。また、従来ある表示パネル格納部を利用できる。
【０１６５】
（第１３実施形態）
図１６（Ａ）〜（Ｄ）を用いて、本実施形態の電子カメラ１００ｎについて、説明する。なお、第１実施形態において説明した構成要素は、同じ符号で図示してあり、既に説明した内容はその説明を省略する。
【０１６６】
図１６（Ａ）は、電池蓋８４が閉じられた状態の電子カメラ１００ｎを示す正面図である。図１６（Ｂ）は、図１６（Ａ）に示した電子カメラ１００ｎの底面図である。図１６（Ｃ）は、電池蓋８４が開かれた状態の電子カメラ１００ｎを示す正面図である。図１６（Ｄ）は、図１６（Ｃ）に示した電子カメラ１００ｎの底面図である。
【０１６７】
カメラ本体２２には、このカメラ本体２２に着脱自在な充電電池１１９を収納する充電電池収納部８５が設けられている。充電電池収納部８５の開口部８５０は、本例では、カメラ本体２２の底面に配置されている。また、カメラ本体２２の底面には、充電電池収納部８５の開口部８５０を開閉する電池蓋８４が取り付けられている。
【０１６８】
カメラ本体２２および電池蓋８４を含んで外装筐体２０が構成されている。外装筐体２０の少なくとも外装面は、金属材料からなる。すなわち、電子カメラ１００ｎのうち、常に外部に露出する面は、金属材料からなる。
【０１６９】
無接点充電用のコイル５４（本例では受電コイル）は、カメラ本体２２のうち、電池蓋８４が閉状態のときには電池蓋８４により覆われる一方で、電池蓋８４が開状態のときには露出する領域８４２に、形成されている。この領域８４２は、合成樹脂により形成されている。すなわち、コイル５４の周囲には、合成樹脂が配設されている。
【０１７０】
図１７は、給電装置２００の給電コイル６４から発生した電磁波により、電子カメラ１００ｎの受電コイル５４に誘導起電力を発生させて、電子カメラ１００ｎの受電電池を充電する様子を示す正面透視図である。
【０１７１】
また、電池蓋８４の開閉を検出する検出スイッチ（図示を省略）を設けて、検出スイッチで電池蓋８４が閉じた状態であることを検出ときには充電を禁止する一方で、検出スイッチで電池蓋８４が開いた状態であることを検出ときには充電を許可するようにしてもよい。このような充電禁止および許可の判定および制御は、図１のＣＰＵ１０１により行う。言い換えると、電子カメラ１００ｎは、コイル５４の非露出状態および露出状態を検出する検出部と、コイル５４が非露出状態であるときには充電を禁止する一方で、コイル５４が露出状態であるときには充電を許可する制御部を備える。
【０１７２】
本実施形態の電子カメラ１００ｎでは、電池蓋８４が本発明における「移動部材」を構成している。電池蓋８４が開いたとき、コイル５４が外部に露出するため、無接点充電時の発熱防止および金属検知回避となる。また、電池蓋８４が開くことで、給電コイル６４と受電コイル５４との距離を小さくすることが可能であり、無接点充電時の伝送効率が向上する。
【０１７３】
（第１４実施形態）
図１８（Ａ）〜（Ｄ）を用いて、本実施形態の電子カメラ１００ｐについて、説明する。なお、第１実施形態および第１３実施形態において説明した構成要素は、同じ符号で図示してあり、既に説明した内容はその説明を省略する。
【０１７４】
図１８（Ａ）は、記録メディア蓋８６が閉じられた状態の電子カメラ１００ｐを示す正面図である。図１８（Ｂ）は、図１８（Ａ）に示した電子カメラ１００ｐの底面図である。図１８（Ｃ）は、記録メディア蓋８６が開かれた状態の電子カメラ１００ｐを示す正面図である。図１８（Ｄ）は、図１８（Ｃ）に示した電子カメラ１００ｐの底面図である。
【０１７５】
カメラ本体２２には、このカメラ本体２２に着脱自在なメモリカード１０８（「記録メディア」ともいう）を収納する記録メディア収納部８７が設けられている。記録メディア収納部８７の開口部８７０は、本例では、カメラ本体２２の底面に配置されている。また、カメラ本体２２の底面には、記録メディア収納部８７の開口部８７０を開閉する記録メディア蓋８６が取り付けられている。
【０１７６】
カメラ本体２２および記録メディア蓋８６を含んで外装筐体２０が構成されている。外装筐体２０の少なくとも外装面は、金属材料からなる。すなわち、電子カメラ１００ｐのうち、常に外部に露出する面は、金属材料からなる。
【０１７７】
無接点給電用のコイル５４（本例では受電コイル）は、カメラ本体２２のうち、記録メディア蓋８６が閉状態のときには記録メディア蓋８６により覆われる一方で、記録メディア蓋８６が開状態のときには露出する領域８６２に、形成されている。この領域８６２は、合成樹脂により形成されている。すなわち、コイル５４の周囲には、合成樹脂が配設されている。
【０１７８】
また、記録メディア蓋８６の開閉を検出する検出スイッチ（図示を省略）を設けて、検出スイッチで記録メディア蓋８６が閉じた状態であることを検出ときには充電を禁止する一方で、検出スイッチで記録メディア蓋８６が開いた状態であることを検出ときには充電を許可するようにしてもよい。このような充電禁止および許可の判定および制御は、図１のＣＰＵ１０１により行う。
【０１７９】
本実施形態の電子カメラ１００ｐでは、記録メディア蓋８６が本発明における「移動部材」を構成している。記録メディア蓋８６が開いたとき、コイル５４が外部に露出するため、無接点充電時の発熱防止および金属検知回避となる。また、記録メディア蓋８６が開くことで、給電コイル６４と受電コイル５４との距離を小さくすることが可能であり、無接点充電時の伝送効率が向上する。
【０１８０】
なお、無接点充電用のコイルの非露出状態および露出状態を検出する検出スイッチと、無接点充電用のコイルが非露出状態であるときには充電を禁止する一方で、無接点充電用のコイルが露出状態であるときには充電を許可する制御部と、を備えた構成は、第１実施形態から第１４実施形態のいずれで行ってもよい。
【０１８１】
また、本発明は、電子カメラに受電コイルのみを設ける場合に特に限定されず、給電コイルも設けてよい。
【０１８２】
なお、本明細書において、コイルの非露出状態とは、コイルが金属材料により覆われている状態である。また、コイルの露出状態とは、コイルが金属材料により覆われている状態を脱した状態である。コイルの露出状態には、コイルが外部に直接的に露出している場合のみでなく、非金属材料（例えば透光性の合成樹脂材料）を介して間接的に露出している場合を含む。
【０１８３】
また、本発明は、本明細書において説明した例や図面に図示された例には限定されず、本発明の要旨を逸脱しない範囲において、各種の設計変更や改良を行ってよいのはもちろんである。
【図面の簡単な説明】
【０１８４】
【図１】本発明を適用した無接点給電システムの一例を示すブロック図
【図２】無接点給電機能を有する電子カメラの一例を示すブロック図
【図３】（Ａ）は第１実施形態の一例の電子カメラにおける撮影レンズ非露出状態を示す正面図、（Ｂ）はその電子カメラにおける撮影レンズ露出状態を示す正面図、（Ｃ）はカメラ本体の正面図
【図４】（Ａ）は第２実施形態の一例の電子カメラにおけるコイル非露出状態を示す正面図、（Ｂ）はその電子カメラにおけるコイル露出状態を示す正面図
【図５】（Ａ）は第３実施形態の一例の電子カメラにおけるコイル露出前の断面図、（Ｂ）はその電子カメラにおけるコイル露出時の断面図、（Ｃ）はその電子カメラのコイル露出後の断面図
【図６】（Ａ）は第４実施形態の一例の電子カメラにおける撮影レンズ非露出状態を示す正面図、（Ｂ）はその電子カメラにおける撮影レンズ露出状態を示す正面図、（Ｃ）はその電子カメラにおけるコイル露出状態を示す正面図
【図７】（Ａ）は第５実施形態の一例の電子カメラにおける撮影レンズ非露出状態を示す正面図、（Ｂ）はその電子カメラにおける撮影レンズ露出状態を示す正面図、（Ｃ）はその電子カメラにおけるコイル露出状態を示す正面図、（Ｄ）はその電子カメラにおけるコイル露出状態を示す断面図
【図８】（Ａ）は第６実施形態の一例の電子カメラにおける撮影レンズ非露出状態を示す正面図、（Ｂ）はその電子カメラにおける撮影レンズ露出状態を示す正面図、（Ｃ）はその電子カメラにおけるコイル露出状態を示す正面図、（Ｄ）はその電子カメラにおけるコイル露出状態を示す背面図、（Ｄ）はその電子カメラにおけるコイル露出状態を示す断面図
【図９】（Ａ）は第７実施形態の一例の電子カメラにおける撮影レンズ非露出状態を示す正面図、（Ｂ）はその電子カメラにおける撮影レンズ露出状態を示す正面図、（Ｃ）はカメラ本体の正面図
【図１０】（Ａ）は第８実施形態の一例の電子カメラにおける撮影レンズ非露出状態を示す正面図、（Ｂ）はその電子カメラにおける撮影レンズ露出状態を示す正面図
【図１１】（Ａ）は第８実施形態の一例の電子カメラにおけるレンズカバーとカメラ本体との当接状態を示す断面図、（Ｂ）はその電子カメラにおけるレンズカバーとカメラ本体との離間状態を示す断面図、（Ｃ）は間隙空間に相手側モジュールを挿入した状態を示す断面図、（Ｄ）は間隙空間に相手側モジュールを挿入する様子を示す正面図
【図１２】（Ａ）は第９実施形態の一例の電子カメラにおけるレンズカバーとカメラ本体との当接状態を示す断面図、（Ｂ）はその電子カメラにおけるレンズカバーとカメラ本体との離間状態を示す断面図、（Ｃ）は間隙空間に相手側モジュールを挿入した状態を示す断面図
【図１３】（Ａ）は第１０実施形態の一例の電子カメラにおける無接点充電モジュールの非突出状態を示す正面図、（Ｂ）はその電子カメラにおける無接点充電モジュールの突出状態を示す正面図
【図１４】（Ａ）は第１１実施形態の一例の電子カメラにおける発光部の非突出状態を示す正面図、（Ｂ）はその背面透視図、（Ｃ）はその電子カメラにおける発光部の突出状態を示す正面図、（Ｄ）はその背面透視図
【図１５】（Ａ）は第１２実施形態の一例の電子カメラにおける表示パネルの閉状態を示す背面図、（Ｂ）はその電子カメラにおける表示パネルの開状態を示す背面図
【図１６】（Ａ）は第１３実施形態の一例の電子カメラにおける電池蓋が閉じられた状態を示す正面図、（Ｂ）はその状態の底面図、（Ｃ）は電池蓋が開かれた状態を示す正面図、（Ｄ）はその状態の底面図
【図１７】第１３実施形態の一例の電子カメラにおける無接点給電時の様子を示す正面透視図
【図１８】（Ａ）は第１４実施形態の一例の電子カメラにおける記録メディア蓋が閉じられた状態を示す正面図、（Ｂ）はその底面図、（Ｃ）は記録メディア蓋が開かれた状態を示す正面図、（Ｄ）はその底面図
【符号の説明】
【０１８５】
２０…外装筐体、２２…カメラ本体、２４…レンズカバー、５０…無接点受電モジュール、５２…無接点受電モジュールの樹脂基板、５４…受電コイル、６０…無接点給電モジュール、６２…無接点給電モジュールの樹脂基板、６４…給電コイル、７２…スライド小窓、７４…スライド扉、７５…フラッシュ窓、７６…結合部材、７７，７８…突出ボタン、７９…表示パネル、８０…表示パネル収納部、８４…電池蓋、８５…充電電池収納部、８６…記録メディア蓋、８７…記録メディア収納部、１００…電子カメラ、１０１…ＣＰＵ、１０２…撮影レンズ、１０３…撮像素子、１０４…撮像処理部、１０８…メモリカード（記録メディア）、１１４…ＬＣＤ、１１５…発光部、１１９…充電電池、１２０…充電部、１２６、２０６…発振部、２００…給電装置
【図１】
2009302738.tif 000003
【図２】
2009302738.tif 000004
【図３】
2009302738.tif 000005
【図４】
2009302738.tif 000006
【図５】
2009302738.tif 000007
【図６】
2009302738.tif 000008
【図７】
2009302738.tif 000009
【図８】
2009302738.tif 000010
【図９】
2009302738.tif 000011
【図１０】
2009302738.tif 000012
【図１１】
2009302738.tif 000013
【図１２】
2009302738.tif 000014
【図１３】
2009302738.tif 000015
【図１４】
2009302738.tif 000016
【図１５】
2009302738.tif 000017
【図１６】
2009302738.tif 000018
【図１７】
2009302738.tif 000019
【図１８】
2009302738.tif 000020